(57)【要約】【課題】本発明は、ディジタル無線通信の無線受信機に関するもので、移動無線通信方式の機器への利用に適しており、回線品質劣化を比較的小規模な回路で監視し、回線品質低下を抑止すると共に消費電力の低減にも寄与することを目的とする。【解決手段】遅延検波復調部と等化復調部の二つの復調部をそなえ、受信入力レベルと二つの復調部の出力信号列の複数フレームの特定スロット（同期ワード）の誤り率とから、マルチパスの発生状況などの伝搬状況を推測し、二つの回路を切替えて使用する。 【選択図】図１
2009044571.tif 000002
【特許請求の範囲】
【請求項１】
受信高周波部と、遅延検波復調部と、等化復調部と、受信高周波部の出力を遅延検波復調部又は等化復調部の何れか一方に切替え供給する切替回路と、遅延検波復調部の出力及び等化復調部の出力の特定スロット（同期ワード）を監視する回線品質監視部と、回線品質監視部からの誤り率又は誤り発生状況に関する情報と、受信高周波部からの受信入力レベルに関する情報とから伝搬路状況を推測して前記切替回路を制御する伝搬状況推定＆切替制御部と、からなり、
通常は切替回路により受信高周波部の出力を遅延検波復調部へ供給して遅延検波復調部の出力を受信機出力とし、伝搬状況推定＆切替部が、遅延検波復調部の出力の回線品質が遅延分散に起因して予め設定した閾値を超えたと判定した場合には、受信高周波部の出力を等化復調部へ切替え、等化復調部の出力を受信機出力とすることを特徴とする、無線受信機。
【請求項２】
回線品質監視部が復調部の出力信号列の複数のフレーム中の特定スロット（同期ワード）の誤り率又は誤り数を監視するに際し、監視するフレーム数と、誤り率又は誤り発生が所定の閾値を超えることを容認するフレーム数と、誤り率又は誤り発生が所定の閾値を連続して超えることを容認するフレーム数と、を、マルチパス発生等を間接的に推測するシミュレーションデータにもとづき設定することを特徴とする、前記請求項１に記載の、無線受信機。
【発明の詳細な説明】
【技術分野】
【０００１】
本発明は、ディジタル無線通信の無線受信機に関するもので、移動無線通信方式への利用に適する。遅延分散に起因する回線品質劣化を比較的小規模な回路で監視し、二つの復調部を使い分けることにより良好な回線品質を確保する。
【背景技術】
【０００２】
回路構成が比較的単純で経済性や信頼性等の面で優れた遅延検波復調方式と、回路構成がやや複雑で動作速度や消費電力などの面では遅延検波復調方式に劣るが、マルチパスフェージング゛等による符号間干渉がある伝搬条件下でも良好な回線品質を維持できる等化復調方式の、二つの復調部を備え、伝搬路の状況によりいずれか一方の復調部を選択する方式が実用化されている。
【０００３】
しかしながら、移動無線通信方式の機器に実装する受信機は、回路規模および消費電力が、より小さいことが求められることから、二つの復調部を備えながら、回路規模および消費電力を抑制しつつ、如何に所要の回線品質を確保するかが重要な課題となる。
【０００４】
【特許文献１】特許第2977396号  無線受信機
【特許文献２】特開平6−97973  無線受信機
【発明の開示】
【発明が解決しようとする課題】
【０００５】
本発明はこのような背景で行われたものであり、比較的小規模な回線品質監視部で伝搬路状況を判断し、回路規模、経済性、消費電力などと回線品質との調和がとれた無線受信機を提供することを目的とする。
【課題を解決するための手段】
【０００６】
本発明は、受信高周波部と、遅延検波復調部と、等化復調部と、受信高周波部の出力を遅延検波復調部又は等化復調部の何れか一方に切替え供給する切替回路と、遅延検波復調部の出力及び等化復調部の出力の特定スロット（同期ワード）を監視する回線品質監視部と、回線品質監視部からの誤り率又は誤り発生状況に関する情報と、受信高周波部からの受信入力レベルに関する情報とから伝搬路状況を推測して前記切替回路を制御する伝搬状況推定＆切替制御部とからなり、通常は切替回路により受信高周波部の出力を遅延検波復調部へ供給して遅延検波復調部の出力を受信機出力とし、伝搬状況推定＆切替部が、遅延検波復調部の出力の回線品質が遅延分散に起因して予め設定した閾値を超えたと判定した場合には、受信高周波部の出力を等化復調部へ切替え、等化復調部の出力を受信機出力とすることを特徴とする。
【０００７】
回線品質監視部が復調部の出力信号列の複数のフレーム中の特定スロット（同期ワード）の誤り率又は誤り数を監視するに際し、監視するフレーム数と、誤り率又は誤り発生が所定の閾値を超えることを容認するフレーム数と、誤り率又は誤り発生が所定の閾値を連続して超えることを容認するフレーム数と、を、マルチパス発生等を間接的に推測するシミュレーションデータにもとづき設定することを特徴とする。
【発明の効果】
【０００８】
本発明の装置では、比較的小規模な回線品質監視部による誤り率または誤り発生状況と、受信高周波部で監視される受信入力レベルとから、マルチパスフェージング発生などの伝搬路状況を推測し、遅延検波復調部と等化復調部とを使い分けることで、良好な回線品質を維持できる。
【実施例】
【０００９】
本発明の実施例について図面を参照して説明する。なお、本実施例では、同期ワードを含むARIB-STD79のフレームフォーマットを引用して説明を行なったが、同期ワードを含むフレームフォーマットによる通信方式であれば、他の方式でも適用可能であることを予め明記しておく。
【００１０】
図１は本発明の実施例としての無線受信機のブロック構成図である。図１の無線受信機において、受信入力１１は、受信高周波部１２にて復調回路の動作に適した周波数並びにレベルへ周波数変換並びに増幅された後、切替回路１３で等化復調部１４または遅延検波復調部１６の何れか一方へ切替られる。等化復調部１４へ切替られた受信波は、等化復調部にて検波復調されて復調出力信号１８となると共に、回線品質監視部１７により復調出力信号の中の特定部位（同期ワード）が監視され、その誤り発生状況が計測される。同様に、遅延検波復調部１６へ切替られた受信波は、遅延検波復調部にて検波復調されて復調出力信号となると共に、回線品質監視部１７により復調出力信号の中の特定部位（同期ワード）の誤り率が監視され、伝搬路の状況が評価される。
伝搬状況推定＆切替制御部１５は、回線品質監視部からの誤り率又は誤り発生状況と受信高周波部からの受信入力レベルに関する情報とからマルチパス発生の有無やマルチパス発生の状況等を判定する。マルチパス発生状況を間接的に推測する手段として、誤り率または誤り発生状況と、受信入力レベルとの組合せがある。
【００１１】
図２は、回線品質監視部２４が、１フレームが４スロットで構成されるフレームフォーマット（ＡＲＩＢ  ＳＴＤ−７９）の信号列の第１スロットの誤り率を監視している様子を示す。ここで、監視フレーム設定回路２５は監視するフレーム数を設定するものであり、この例では連続する３フレームを監視するように設定され、３つの各フレーム内の♯１（夫々２１、２２、２３）の特定ビット部を監視している。
【００１２】
伝搬状況推定＆切替制御部２７は、回線品質監視部からの信号と受信入力に関する情報（ＡＧＣ電流）とから、遅延検波復調部の復調出力信号の品質が、マルチパスフェージングに起因して予め設定した回線品質劣化の閾値よりも低下したと判断した場合は、切替回路を制御して受信高周波部の出力を等化復調部へ切替える。通常は、伝搬状況推定＆切替制御部が切替回路を遅延検波復調部側へ切替え、遅延検波復調部の復調出力信号が受信機の復調出力として出力される。
【００１３】
受信高周波部の出力を切替えず、常時、遅延検波復調部と等化復調部の両者に供給する回路構成も可能であるが、消費電力や処理速度などの面で得策ではないので採用していない。
【００１４】
図３は、ＡＲＩＢ  ＳＴＤ−７９の通信用物理チャンネルの信号フォーマットの１スロットの内訳を示したものである。上り回線のビット構成３１では同期信号３２（Synchronization  Word：２０ビット）が、下り回線のビット構成３３では同期信号３４（Synchronization  Word：２０ビット）が誤り率の監視対象となっている。
【００１５】
図４は、ＡＲＩＢ  ＳＴＤ−７９の同期バーストの信号フォーマットの１スロットの内訳を示したものである。上り回線のビット構成４１では同期信号４２（Synchronization  Word：３２ビット）が、下り回線のビット構成４３では同期信号４４（Synchronization  Word：３２ビット）が誤り率の監視対象となっている。
【００１６】
図５は、ＡＲＩＢ  ＳＴＤ−７９の制御用物理チャンネルの信号フォーマットの１スロットの内訳を示したものである。上り回線のビット構成５１では同期信号５２（Synchronization  Word：２０ビット）が、下り回線のビット構成５３では同期信号５４（Synchronization  Word：２０ビット）が誤り率の監視対象となっている。
【００１７】
変調方式、無線周波数帯、伝送速度等を選び、遅延量、Ｄ／Ｕ、受信入力レベル、誤り率等のパラメータを組合せたシミュレーションにより、現実的な精度でのマルチパスフェージングの発生状況を推測し、遅延検波復調部の使用限界と、等化復調部の効果が発揮される範囲とを使い分けることが可能である。
【００１８】
連続的に監視するフレーム数、前記複数フレームの中で誤りの発生を是とするフレーム数および許容誤り数または許容誤り率、前記複数フレームの中での連続的な誤り発生または散発的な誤り発生の扱い、受信入力レベル低下について設定する閾値レベルと継続時間の関係、連続的に監視する複数フレームと切替タイミングの関係など、無線方式により多様な選択、設定が可能である。
【図面の簡単な説明】
【００１９】
【図１】無線受信機のブロック構成図
【図２】伝搬路状況推定回路概念図
【図３】フレームフォーマット構成例
【図４】フレームフォーマット構成例
【図５】フレームフォーマット構成例
【符号の説明】
【００２０】
１１：受信入力、１２：受信高周波部、１３：切替回路、１４：等化復調部、１５：伝搬状況推定＆切替制御部、１６：遅延検波復調部、１７：伝搬状況監視部、１８：復調出力信号、２１：第１スロット、２２：第１スロット、２３：第１スロット、２４：誤り率監視部、２５：監視フレーム設定回路、２６：受信入力監視、２７：伝搬状況推定＆切替制御部、３１：上り回線スロット構成、３２：同期ワード、３３：下り回線スロット構成、３４：同期ワード、４１：上り回線スロット構成、４２：同期ワード、４３：下り回線スロット構成、４４：同期ワード、５１：上り回線スロット構成、５２：同期ワード、５３：下り回線スロット構成、５４：同期ワード、
【図１】
2009044571.tif 000003
【図２】
2009044571.tif 000004
【図３】
2009044571.tif 000005
【図４】
2009044571.tif 000006
【図５】
2009044571.tif 000007